(57)【要約】【課題】転写性と印刷原版の清浄性の両方を満足することができる版印刷方法を得る。【解決手段】版印刷方法１００は、印刷原版１０に所定の印刷パターン１になるようにインキ２を付着する第１工程（Ｓ１）と、ブランケット２０にインキ２を転写させる第２工程（Ｓ２）と、ブランケット２０を被印刷面３０に押し付ける第３工程（Ｓ３）と、ブランケット２０をクリーニング面４０に押し付ける第４工程（Ｓ５）と、ブランケット２０を吸湿材５０に押し付ける第５工程（Ｓ５）と、ブランケット２０をエアーブローする第６工程（Ｓ６）と、ブランケット２０を乾燥面７０に押し付ける第７工程（Ｓ７）とを繰返し実施するものであり、第１工程において、適量の水または溶剤がしみ込んだ状態のブランケット２０を印刷原版１０に押し付ける。【選択図】図１
2014200916.tif 000002
【特許請求の範囲】
【請求項１】
印刷原版に所定の印刷パターンになるようにインキを付着する第１工程と、
前記インキが付着している印刷原版にブランケットを押し付けて、該ブランケットに前記インキを転写させる第２工程と、
前記インキが転写されたブランケットを被印刷面に押し付け、前記ブランケットに転写されたインキを前記被印刷面に転写させる第３工程と、
前記被印刷面に前記インキを転写した後のブランケットを平坦なクリーニング面に押し付け、前記ブランケットに残存するインキを、前記クリーニング面に付着させる第４工程と、
前記残存するインキを前記クリーニング面に付着した後のブランケットを、吸湿材に押し付け、該吸湿材にしみ込んでいる水または溶剤の一部を、前記ブランケットに付着またはしみ込ませる第５工程と、を繰り返すことを特徴とする版印刷方法。
【請求項２】
前記第５工程の後に、前記水または溶剤の一部が付着またはしみ込んでいるブランケットをエアーブローし、前記水または溶剤の一部を除去する第６工程を有することを特徴とする請求項１記載の版印刷方法。
【請求項３】
前記第５工程の後に、または、前記第６工程の後に、前記ブランケットを平坦な乾燥面に押し付け、前記ブランケットに付着またはしみ込んでいる前記水または溶剤の一部を除去する第７工程を有することを特徴とする請求項１または２記載の版印刷方法。
【請求項４】
第１工程に先行して、ブランケットを吸湿材に押し付け、該吸湿材にしみ込んでいる水または溶剤の一部を、前記ブランケットに付着またはしみ込ませる開始第１工程を有することを特徴とする請求項１記載の版印刷方法。
【請求項５】
前記開始第１工程の後に、前記水または溶剤の一部が付着またはしみ込んでいるブランケットをエアーブローし、前記水または溶剤の一部を除去する開始第２工程を有することを特徴とする請求項４記載の版印刷方法。
【請求項６】
前記開始第１工程の後に、または、前記開始第２工程の後に、前記ブランケットを平坦な乾燥面に押し付け、前記ブランケットに付着またはしみ込んでいる前記水または溶剤の一部を除去する開始第３工程を有することを特徴とする請求項４または５記載の版印刷方法。
【請求項７】
前記吸湿材が、積層された紙であることを特徴とする請求項１乃至６の何れか一項に記載の版印刷方法。
【請求項８】
前記クリーニング面が、紙の表面または粘着テープの粘着面であることを特徴とする請求項１乃至７の何れか一項に記載の版印刷方法。
【発明の詳細な説明】
【技術分野】
【０００１】
本発明は版印刷方法、特に、ブランケットを用いた版印刷方法（凸版印刷および凹版印刷をまとめて「版印刷」と総称する）に関する。
【背景技術】
【０００２】
従来、版印刷方法は、印刷パターンに応じたパターンにインキが載せられた印刷原版（印版に同じ）にブランケット（パッドに同じ）を押し付けて、印刷パターン状のインキを印刷用パッドに転写（移し取る）し、引き続き、印刷用パッドを被印刷面に押し付けて、転写したインキを被印刷面に転写（移し渡す）ことによって、被印刷面に印刷パターンを印刷するものである。このとき、印刷品位を低下させないために、印刷原版を往復運動させることによって、印刷原版に当接しているインクボックス内のインクを揺すって、撹拌し、固化し難くする発明が開示されている（例えば、特許文献１参照）。
【先行技術文献】
【特許文献】
【０００３】
【特許文献１】特開２００８−１１４４９６号公報（第９−１０頁、図１）
【発明の概要】
【発明が解決しようとする課題】
【０００４】
特許文献１に開示された発明は、インクを撹拌することによって、固化し難くすることができるものの、以下の問題があった。すなわち、ブランケット（パットに同じ）は、シリコンゴムの混合物によって形成されていることから、インキが硬い（例えば、８８ＰａＳ以上）場合、被印刷面に転写する転写性が悪くなるため、転写性を確保するためには、インクを軟らかくする必要がある。一方、インクを軟らかくした場合、印刷原版（印版）が汚れ易くなり、印刷原版（印版）を管理する負担が増大するため、インクを硬くしたいという要請がある。そのため、転写性と印刷原版の清浄性との何れかが満足されなかった。
【０００５】
本発明は上記問題を解決するものであって、転写性と印刷原版の清浄性の両方を満足することができる版印刷方法を得ることにある。
【課題を解決するための手段】
【０００６】
（１）本発明に係る版印刷方法は、印刷原版に所定の印刷パターンになるようにインキを付着する第１工程と、
前記インキが付着している印刷原版にブランケットを押し付けて、該ブランケットに前記インキを転写させる第２工程と、
前記インキが転写されたブランケットを被印刷面に押し付け、前記ブランケットに転写されたインキを前記被印刷面に転写させる第３工程と、
前記被印刷面に前記インキを転写した後のブランケットを平坦なクリーニング面に押し付け、前記ブランケットに残存するインキを、前記クリーニング面に付着させる第４工程と、
前記残存するインキを前記クリーニング面に付着した後のブランケットを、吸湿材に押し付け、該吸湿材にしみ込んでいる水または溶剤の一部を、前記ブランケットに付着またはしみ込ませる第５工程と、を繰り返すことを特徴とする。
【０００７】
（２）前記第５工程の後に、前記水または溶剤の一部が付着またはしみ込んでいるブランケットをエアーブローし、前記水または溶剤の一部を除去する第６工程を有することを特徴とする。
（３）また、前記第５工程の後に、または、前記第６工程の後に、前記ブランケットを平坦な乾燥面に押し付け、前記ブランケットに付着またはしみ込んでいる前記水または溶剤の一部を除去する第７工程を有することを特徴とする。
【０００８】
（４）さらに、第１工程に先行して、ブランケットを吸湿材に押し付け、該吸湿材にしみ込んでいる水または溶剤の一部を、前記ブランケットに付着またはしみ込ませる開始第１工程を有することを特徴とする。
（５）また、前記開始第１工程の後に、前記水または溶剤の一部が付着またはしみ込んでいるブランケットをエアーブローし、前記水または溶剤の一部を除去する開始第２工程を有することを特徴とする。
（６）また、前記開始第１工程の後に、または、前記開始第２工程の後に、前記ブランケットを平坦な乾燥面に押し付け、前記ブランケットに付着またはしみ込んでいる前記水または溶剤の一部を除去する開始第３工程を有することを特徴とする。
【０００９】
（７）さらに、前記吸湿材が、積層された紙であることを特徴とする。
（８）さらに、前記クリーニング面が、紙の表面または粘着テープの粘着面であることを特徴とする。
【発明の効果】
【００１０】
（ｉ）本発明に係る版印刷方法は、前記構成であるから、ブランケットに適度の水または溶剤が付着またはしみ込んでいるため、硬いインキであっても、転写性が悪くなることがない。このため、硬いインキを使用することで、印刷原版（印版）が清浄に保たれ、印刷原版（印版）の管理が容易になる。
【図面の簡単な説明】
【００１１】
【図１】本発明の実施の形態１に係る版印刷方法を説明する作業の流れを示すフローチャート。
【図２】図１に示す作業の流れに対応した作業の状況（第１工程）を示す側面図。
【図３】図１に示す作業の流れに対応した作業の状況（第２工程）を示す側面図。
【図４】図１に示す作業の流れに対応した作業の状況（第３工程）を示す側面図。
【図５】図１に示す作業の流れに対応した作業の状況（第４工程）を示す側面図。
【図６】図１に示す作業の流れに対応した作業の状況（第５工程）を示す側面図。
【図７】図１に示す作業の流れに対応した作業の状況（第６工程）を示す側面図。
【図８】図１に示す作業の流れに対応した作業の状況（第７工程）を示す側面図。
【発明を実施するための形態】
【００１２】
図１〜図８は本発明の実施の形態１に係る版印刷方法を説明するものであって、図１は作業の流れを示すフローチャート、図２〜図８は作業の状況を模式的に示す側面図である。
図１において、版印刷方法１００は、開始工程と、繰返し工程とを有している。
【００１３】
（開始工程）
開始工程は、ブランケット２０を吸湿材５０に押し付け、吸湿材５０にしみ込んでいる水または溶剤の一部を、ブランケット２０に付着またはしみ込ませる開始第１工程（ＳＰ１）と、水または溶剤の一部が付着またはしみ込んでいるブランケット２０を気吹手段６０によってエアーブローし、前記水または溶剤の一部を除去する開始第２工程（ＳＰ２）と、ブランケット２０を平坦な乾燥面７０に押し付け、ブランケット２０に付着またはしみ込んでいる前記水または溶剤の一部を除去する開始第３工程（ＳＰ３）と、からなる開始工程と、を有している。
なお、ブランケット２０に適量の水または溶剤が付着またはしみ込んでいる場合は、開始第２工程（ＳＰ２）および開始第３工程（ＳＰ３）の一方または両方の実施を省略してもよい。
【００１４】
（繰返し工程）
また、繰返し工程は、印刷原版１０に所定の印刷パターン１になるようにインキ２を付着する第１工程（Ｓ１）と、
印刷パターン１状にインキ２が付着している印刷原版１０に、ブランケット２０を押し付けて、ブランケット２０にインキ２を転写させる第２工程（Ｓ２）と、
インキ２が転写されたブランケット２０を、被印刷面３０に押し付け、ブランケット２０に転写されたインキ２を被印刷面３０に転写させる第３工程（Ｓ３）と、
被印刷面３０にインキ２を転写した後のブランケット２０を、平坦なクリーニング面４０に押し付け、ブランケット２０に残存するインキ２を、クリーニング面４０に付着させる第４工程（Ｓ４）と、を有している。
【００１５】
さらに、残存するインキ２をクリーニング面４０に付着した後のブランケット２０を、吸湿材５０に押し付け、吸湿材５０にしみ込んでいる水または溶剤の一部を、ブランケット２０に付着またはしみ込ませる第５工程（Ｓ５）と、
前記水または溶剤の一部が付着またはしみ込んでいるブランケット２０を気吹手段６０によってエアーブローし、前記水または溶剤の一部を除去する第６工程（Ｓ６）と、
さらに、第５工程（Ｓ５）または第６工程（Ｓ６）の後に、ブランケット２０を平坦な乾燥面７０に押し付け、ブランケット２０に付着またはしみ込んでいる前記水または溶剤の一部を除去する第７工程（Ｓ７）とを有している。
なお、ブランケット２０に適量の水または溶剤が付着またはしみ込んでいる場合は、第６工程（Ｓ６）および第７工程（Ｓ７）の一方または両方の実施を省略してもよい。
【００１６】
（作業状況）
第１工程において、印刷原版１０に所定の印刷パターン１になるようにインキ２を付着する要領は限定するものではなく、いわゆる凸版印刷でも凹版印刷であってもよい。
図２の（ａ）において、印刷原版１０の略全面にインキ２を均一な厚さに塗布し、略全面に塗布されたインキ２を部分的に撤去して、残されたインキ２（膜厚を誇張し、斜線を付して示す）が印刷パターン１になっている（凸版印刷）。また、印刷原版１０に印刷パターン１に対応して水等をしみ込ませて、インキ２を部分的にはじかせてもよい。
図２の（ｂ）において、印刷原版１０の全面にマスキング材１０ａが設置され、図２の（ｃ）において、マスキング材１０ａに印刷パターン１に対応した凹部１０ｂが形成され、図２の（ｄ）において、凹部１０ｂにインキ２が充填されている（凹版印刷）。また、印刷原版１０に印刷パターン１に対応してシリコン剤等を部分的に塗布し、インキ２を部分的にはじかせてもよい。
【００１７】
図３の（ａ）〜（ｃ）において、第２工程（Ｓ２）では、印刷パターン１状にインキ２が付着している印刷原版１０に、ブランケット２０を押し付けて、ブランケット２０にインキ２を転写させる。
図４の（ａ）および（ｂ）において、第３工程（Ｓ３）では、インキ２が転写されたブランケット２０を、被印刷面３０に押し付け、ブランケット２０に転写されたインキ２を被印刷面３０に転写させる。なお、被印刷面３０として平面を示しているが、本発明はこれに限定するものではなく、非平面（曲面）であってもよい。
図５において、第４工程では、被印刷面３０にインキ２を転写した後のブランケット２０を、平坦なクリーニング面４０に押し付け、ブランケット２０に残存するインキ２を、クリーニング面４０に付着させている。なお、クリーニング面４０は紙ないし粘着テープであるが、これに限定するものではない。
【００１８】
図６において、第５工程（Ｓ５）では、クリーニング後のブランケット２０を、吸湿材５０に押し付け、吸湿材５０にしみ込んでいる水または溶剤の一部を、ブランケット２０に付着またはしみ込ませている。なお、吸湿材５０は、例えば、紙を５０枚程度積層したものに、水または溶剤をしみ込ませたもの（含浸したもの）であるが、吸湿性を具備するものであれば、紙に限定するものではない。また、複数枚を積層したのでなく、１枚（１層）であってもよい。
また、溶剤は、インキ２との性質に応じて適宜選定されるものであって、硬いインキ２を軟化させる性質を有する、例えば、シンナー、キシレンやトルエン等であるが、これらに限定するものではない。
【００１９】
図７において、第６工程（Ｓ６）では、前記水または溶剤の一部が付着またはしみ込んでいるブランケット２０を気吹手段６０によってエアーブローし、前記水または溶剤の一部を除去している。なお、気吹手段６０の形式や数量、あるいはエアーブローの方向等は限定するものではない。
図８において、第７工程（Ｓ７）では、ブランケット２０を平坦な乾燥面７０に押し付け、ブランケット２０に付着またはしみ込んでいる前記水または溶剤の一部を除去している。なお、乾燥面７０は、乾燥した紙を積層したものであるが、吸湿性を具備するものであれば、紙に限定するものではない。また、複数枚を積層したのでなく、１枚（１層）であってもよい。
【００２０】
なお、開始工程における、開始第１工程（ＳＰ１）、開始第２工程（ＳＰ２）および開始第３工程（ＳＰ３）は、それぞれ繰返し工程における、第５工程（Ｓ５）、第６工程（Ｓ６）および第７工程（Ｓ７）と同じであるから、説明を省略する。
【００２１】
（効果）
以上のように、版印刷方法１００は、ブランケット２０が適量の水または溶剤がしみ込んでいる（または付着している）状態において、ブランケット２０は、印刷原版１０からインキ２を受け取り、被印刷面にインキ２を受け渡している。
したがって、ブランケット２０は、印刷原版１０から硬いインキ２（例えば、２００ＰａＳ以上）を受け取っても、適度に軟らかくなった状態で、かかるインキ２を被印刷面に受け渡すことができるから、硬いインキ２を使用しても、転写性が損なわれることがない。また、硬いインキ２を使用することができるから、印刷原版が汚れることが少ない。
【産業上の利用可能性】
【００２２】
本発明によれば、硬いインキを使用しても、転写性と印刷原版の清浄性の両方を保つことができるから、各種形状や各種大きさのブランケットを用いた版印刷方法として広く利用することができる。
【符号の説明】
【００２３】
１ 印刷パターン
２ インキ
１０ 印刷原版
１０ａ マスキング材
１０ｂ 凹部
２０ ブランケット
３０ 被印刷面
４０ クリーニング面
５０ 吸湿材
６０ 気吹手段
７０ 乾燥面
１００ 版印刷方法
【図１】
2014200916.tif 000003
【図２】
2014200916.tif 000004
【図３】
2014200916.tif 000005
【図４】
2014200916.tif 000006
【図５】
2014200916.tif 000007
【図６】
2014200916.tif 000008
【図７】
2014200916.tif 000009
【図８】
2014200916.tif 000010